(57)【要約】【課題】装置の大型化を抑制しつつ、防盗性を確保することが可能な充電コネクタ用ロック装置を提供する。【解決手段】充電コネクタ用ロック装置１は、モータ４と、モータ４によって回転され、周方向に沿って軸方向に対して傾斜したスロープ面５２ａを有する回転ギヤ５と、回転ギヤ５の回転によって回転しないハウジング２に軸方向に移動可能に支持されており、回転ギヤ５を回転させた際にスロープ面５２ａにガイドされることにより、突出位置と引込位置との間を進退移動するロッド３と、ロッド３が突出位置に配置されたロック状態を手動操作によって解除するためのプルケーブル６と、を備え、プルケーブル６は、一端側に形成されて回転ギヤ５と一体回転する回転レバー７に係止される被係止部６１と、他端側に形成されて手動操作される操作部６２と、回転レバー７の外周部に巻き付けられる巻付部６３と、を有している。【選択図】図３
2018125188.tif 000002
【特許請求の範囲】
【請求項１】
充電コネクタを接続する充電ポートを有する車両に搭載され、前記充電コネクタを前記充電ポートに接続した状態でロックするための充電コネクタ用ロック装置であって、
モータと、
前記モータによって回転される回転体であり、その回転軸と平行な軸方向に突出するように設けられ周方向に沿って前記軸方向に対して傾斜したスロープ面を有する回転部材と、
前記回転部材の回転によって回転しないハウジングに前記軸方向に移動可能に支持されており、前記回転部材を回転させた際に前記回転部材の前記スロープ面にガイドされることにより、前記軸方向に沿って前記ハウジングに対して突出した突出位置と引込位置との間を進退移動し、前記突出位置に進出した際に前記充電コネクタをロックするロッドと、
前記ロッドが前記突出位置に配置されたロック状態を手動操作によって解除するためのプルケーブルと、を備え、
前記プルケーブルは、一端側に形成されて前記回転部材に係止される被係止部と、他端側に形成されて手動操作される操作部と、前記被係止部から前記操作部に向かって延在し、前記回転部材の外周部に巻き付けられる巻付部と、を有している、
充電コネクタ用ロック装置。
【請求項２】
前記被係止部は、前記回転部材の前記回転軸と平行な方向に突出した突起であり、
前記回転部材には、前記突起を係止する係止穴が形成されている、
請求項１に記載の充電コネクタ用ロック装置。
【請求項３】
前記係止穴は、前記回転部材の周方向に沿って延在している、
請求項２に記載の充電コネクタ用ロック装置。
【請求項４】
前記プルケーブルの前記突起及び前記回転部材の前記係止穴は、前記ハウジングの外側に配置されている、
請求項２又は３に記載の充電コネクタ用ロック装置。
【請求項５】
前記プルケーブルは合成樹脂製である、
請求項１乃至４の何れか１項に記載の充電コネクタ用ロック装置。
【発明の詳細な説明】
【技術分野】
【０００１】
本発明は、充電コネクタ用ロック装置に関する。
【背景技術】
【０００２】
電気自動車やハイブリッド車の充電を行う際には、外部充電器の充電コネクタを車両の充電ポートに接続して充電を行う。充電中に意図せず充電コネクタが充電ポートから脱落してしまうことを抑制するため、充電コネクタを充電ポートに接続した状態でロックする充電コネクタ用ロック装置が知られている（例えば、特許文献１，２参照）。
【０００３】
特許文献１に記載の充電コネクタ用ロック装置は、モータと、モータによって回転され、軸方向に対して傾斜するように周方向に沿って形成されたカム溝を有する回転メンバと、回転メンバの回転によって回転メンバのカム溝に沿ってガイドされることにより、軸方向に突出位置（進出位置）と引込位置（後退位置）との間を進退移動するロッド（ロックピン）と、一端がロッドの先端と対向するように設けられ、他端がハウジングから露出するように設けられたレリーズレバーと、を備えている。ロッドが突出位置にあるときにレリーズレバーの他端を操作すると、その一端がロッドを後退位置まで押し込むため、充電中であっても充電コネクタを充電ポートから抜き出すことが可能である。
【０００４】
特許文献２に記載の充電コネクタ用ロック装置は、上述した特許文献１に記載のモータ、回転メンバ、及びロッドに加えて、モータが故障した際の緊急対策として、手動でロック状態を解除するためのアンロック操作棒を備えている。このアンロック操作棒は、ロッドの軸方向と交差する方向に押し込み可能なように配置されている。アンロック操作棒を手動で押し込むと、その先端がロッドに設けられたアンロックカム面に接触してカム作用が発起され、ロッドが引込位置まで移動してロッドのロック状態が解除される。
【先行技術文献】
【特許文献】
【０００５】
【特許文献１】特開２０１５−８８３８７号公報
【特許文献２】特開２０１４−２３９６１８号公報
【発明の概要】
【発明が解決しようとする課題】
【０００６】
しかしながら、特許文献１に記載の充電コネクタ用ロック装置では、充電中にレリーズレバーを操作すれば充電コネクタを充電ポートから抜き取ることができるため、例えば利用者が充電中に車両から離れた際に充電コネクタが他者に引き抜かれてしまう可能性があり、防盗性の観点から改善の余地がある。
【０００７】
また、特許文献２に記載の充電コネクタ用ロック装置では、アンロックカム面がロッドの外周側に配置されてロッドの半径方向に延びるように形成されているため、ロッドの半径方向の寸法が大きくなり、装置の大型化が問題となる。
【０００８】
そこで、本発明は、装置の大型化を抑制しつつ、防盗性を確保することが可能な充電コネクタ用ロック装置を提供することを目的とする。
【課題を解決するための手段】
【０００９】
本発明は、上記課題を解決することを目的として、充電コネクタを接続する充電ポートを有する車両に搭載され、前記充電コネクタを前記充電ポートに接続した状態でロックするための充電コネクタ用ロック装置であって、モータと、前記モータによって回転される回転体であり、その回転軸と平行な軸方向に突出するように設けられ周方向に沿って前記軸方向に対して傾斜したスロープ面を有する回転部材と、前記回転部材の回転によって回転しないハウジングに前記軸方向に移動可能に支持されており、前記回転部材を回転させた際に前記回転部材の前記スロープ面にガイドされることにより、前記軸方向に沿って前記ハウジングに対して突出した突出位置と引込位置との間を進退移動し、前記突出位置に進出した際に前記充電コネクタをロックするロッドと、前記ロッドが前記突出位置に配置されたロック状態を手動操作によって解除するためのプルケーブルと、を備え、前記プルケーブルは、一端側に形成されて前記回転部材に係止される被係止部と、他端側に形成されて手動操作される操作部と、前記被係止部から前記操作部に向かって延在し、前記回転部材の外周部に巻き付けられる巻付部と、を有している、充電コネクタ用ロック装置を提供する。
【発明の効果】
【００１０】
本発明によれば、装置の大型化を抑制しつつ、防盗性を確保することが可能な充電コネクタ用ロック装置を提供できる。
【図面の簡単な説明】
【００１１】
【図１】本実施の形態に係る充電コネクタ用ロック装置による充電コネクタのロックを説明する説明図である。
【図２】（ａ），（ｂ）は、図１に示す充電コネクタ用ロック装置の斜視図である。
【図３】充電コネクタ用ロック装置の分解斜視図である。
【図４】（ａ），（ｂ）は、ロッドを引込位置としたときの第１ハウジングを省略した斜視図である。
【図５】（ａ），（ｂ）は、ロッドを突出位置としたときの第１ハウジングを省略した斜視図である。
【図６】（ａ），（ｂ）は、充電コネクタ用ロック装置の平面図である。
【図７】図６（ｂ）におけるＡ−Ａ線断面図である。
【図８】回転レバーの係止溝を拡大した部分斜視図である。
【図９】プルケーブルの巻付部を拡大した斜視図である。
【発明を実施するための形態】
【００１２】
［実施の形態］
以下、本発明の実施の形態に係る充電コネクタ用ロック装置の構成及び動作について図１乃至図５を参照して説明する。
【００１３】
（充電コネクタ用ロック装置の概要）
図１は、本発明の一実施の形態にかかる充電コネクタ用ロック装置による充電コネクタのロックを説明する説明図である。図２は、図１の充電コネクタ用ロック装置による充電コネクタのロックについて説明する説明図であり、（ａ）は上方から見下ろした状態を示し、（ｂ）は下方から見上げた状態を示している。
【００１４】
図１及び図２に示すように、充電コネクタ用ロック装置１は、外部充電器１００の充電コネクタ１０１を接続する充電ポート１１を有する車両１０に搭載され、充電コネクタ１０１を充電ポート１１に接続した状態でロックするための装置である。
【００１５】
充電ポート１１には、充電コネクタ１０１を接続するための充電用ソケット１２が設けられている。充電コネクタ１０１は、充電用ソケット１２に接続した際に充電用ソケット１２の開口周縁に形成された係合突起１２ａに係止される係合爪１０２を有しており、この係合爪１０２の係止により、充電中に充電コネクタ１０１が脱落してしまうことが抑制されている。係合爪１０２は、略棒状でかつその中央部にて充電コネクタ１０１のハウジング１０１ａに軸支され、ハウジング１０１ａに対して回動可能に設けられたレバー１０３の先端部に一体に形成されている。また、レバー１０３は、図示しない付勢部材により、係合爪１０２を係合させる方向（図１においては時計回り方向）にレバー１０３を回動させるように付勢されている。この付勢力に対抗してレバー１０３の基端部に設けられた操作部１０４を押し下げることにより、係合爪１０２の係合突起１２ａに対する係合が解除され、充電コネクタ１０１を充電用ソケット１２から離脱可能となる。
【００１６】
充電コネクタ用ロック装置１は、ハウジング２と、ハウジング２の内部から外部へと突出して設けられているロッド３と、緊急時においてロック状態を強制的に解除するためのプルケーブル６と、を備えている。ハウジング２は、例えば、ガラス繊維入りＰＰ（ポリプロピレン）からなる。ハウジング２は、第１ハウジング２１と第２ハウジング２２とを組み合わせた２分割構成となっている。第１ハウジング２１と第２ハウジング２２とは、ボルト９によるボルト固定、あるいは超音波溶着等により一体化される。
【００１７】
ハウジング２の第１ハウジング２１には、後述するモータ４への給電用のコネクタ部２１０が設けられている。また、第１ハウジング２１には、ロッド３を支持する円筒状の支持部２１１が設けられている。支持部２１１の外周部には、第１ハウジング２１と充電ポート１１（車体）との間を水密にシールするシール部材３１が設けられている。
【００１８】
第２ハウジング２２には、プルケーブル６を保持する保持部２２０が設けられている。保持部２２０には、プルケーブル６を係止する爪部２２０ａが形成されている。
【００１９】
充電コネクタ用ロック装置１は、充電コネクタ１０１を充電用ソケット１２に接続した際に、ロッド３が係合突起１２ａと係合爪１０２を挟んで対向する位置となるように、充電ポート１１に固定されている。詳細は後述するが、充電コネクタ用ロック装置１では、ロッド３はその長手方向（突出方向）に移動可能に構成されており、ロッド３を最も突出させた突出位置に位置させることで、ロッド３の先端と係合突起１２ａとの間に係合爪１０２が挟み込まれるようになっている。
【００２０】
これにより、ロッド３を突出位置に位置させると、たとえ操作部１０４を押し下げようとしても、ロッド３の先端が係合爪１０２に干渉して係合爪１０２の係合突起１２ａに対する係合を解除することができなくなる。その結果、充電コネクタ１０１は、充電ポート１１に接続された状態でロックされることになる。
【００２１】
ロッド３を最も突出長が短い引込位置に位置させると、係合爪１０２が移動するスペースが確保されるため、操作部１０４を押し下げることで係合爪１０２の係合突起１２ａに対する係合を解除でき、充電コネクタ１０１を引き抜くことが可能になる。
【００２２】
このように、充電コネクタ用ロック装置１は、進退可能なロッド３を有し、ロッド３を進出させることにより、充電コネクタ１０１をロックするものである。なお、ロッド３で充電コネクタ１０１をロックする構造は図示の例に限定されるものではなく、例えば、ロッド３の先端が充電コネクタ１０１に形成された穴や溝に挿入されたり、あるいはロッド３の先端が充電コネクタ１０１のハウジング１０１ａに形成された段差や爪部等の係止部に係止されたりすることにより、充電コネクタ１０１をロックするものであってもよい。
【００２３】
（充電コネクタ用ロック装置１の詳細の説明）
図３は、充電コネクタ用ロック装置１の分解斜視図である。図４（ａ），（ｂ）は、ロッド３を引込位置としたときの第１ハウジング２１を省略した斜視図であり、図５（ａ），（ｂ）は、ロッド３を突出位置としたときの第１ハウジング２１を省略した斜視図である。
【００２４】
図３に示すように、充電コネクタ用ロック装置１は、上述のハウジング２，ロッド３及びプルケーブル６と、モータ４と、モータ４により回転される回転体としての回転ギヤ５と、回転ギヤ５の回転に伴って回転ギヤ５の回転軸Ｏと同軸上で回転する回転レバー７と、回転レバー７を回転ギヤ５に対して軸支するタッピングスクリュー８と、を備えている。なお、本発明における「回転部材」は、モータ４により回転される回転体と一体回転する部材も含み、回転レバー７も「回転部材」に相当するものとする。
【００２５】
モータ４は、例えばＤＣモータからなる。モータ４の回転軸４ａには、螺旋状の歯部４１ａを有するウォーム４１が取り付けられている。ウォーム４１は、例えばＰＯＭ（ポリアセタール）からなる。また、モータ４には、第１ハウジング２１のコネクタ部２１０から延びる給電用の導体４２が接続されている。導体４２は、例えば錫メッキを施した銅からなる導体板（バスバ）からなる。モータ４は、第１ハウジング２１に形成されたモータ収容部２１ｂに収容されている。
【００２６】
回転ギヤ５は、第１ハウジング２１に形成されたギヤ収容部２１ａに収容されており、第２ハウジング２２に形成された貫通孔２２ａに貫通する軸部５０と、円板状の基部５１と、基部５１の一方の面に一体に設けられたスロープ部５２（後述する図４及び図５参照）と、を有している。回転ギヤ５は、例えばＰＯＭ（ポリアセタール）からなる。基部５１の外周には、ウォーム４１の歯部４１ａに歯合するギヤ溝（不図示）が形成されており、回転ギヤ５はウォーム４１を介してモータ４により回転駆動される。軸部５０は、第１レバー部７１に相対回転不能に連結されている。
【００２７】
プルケーブル６は、一端側に形成されて後述する回転レバー７の第１レバー部７１に係止された被係止部６１と、他端側に形成されて手動操作される操作部６２と、被係止部６１から操作部６２側に向かって第１レバー部７１の周方向に屈曲しながら延在し、第１レバー部７１の外周部に巻き付けられる巻付部６３と、巻付部６３と操作部６２との間に配置されて直線状に延びる延在部６４とを一体に有している。また、プルケーブル６は、合成樹脂製の部材であり、例えばナイロン６からなる。本実施の形態では、巻付部６３及び延在部６４が所定の厚みを有する帯状である。
【００２８】
回転レバー７は、回転ギヤ５にタッピングスクリュー８を介して相対回転不能に連結された第１レバー部７１と、プルケーブル６を第１レバー部７１との間で挟む位置に配置された第２レバー部７２と、からなる。第１レバー部７１には、タッピングスクリュー８が挿通される挿通孔７１ａが形成されている。なお、第２レバー部７２は第１レバー部７１と同様の構成であるため、第２レバー部７２についての説明は省略する。
【００２９】
第１レバー部７１は、回転軸Ｏ方向に深さを有する係止溝７１０ａが形成された円形状の基部７１０と、基部７１０と同軸上に中心に設けられて基部７１０よりも小径に形成された円柱部７１１と、を有している。円柱部７１１は、回転軸Ｏ方向における端面（第２レバー部７２と対向する面）から突出した突出部７１１ａと、図示しない第２レバー部７２の突出部が嵌合する嵌合穴７１１ｂとが形成されている。第１レバー部７１の突出部７１１ａは、図示しない第２レバー部７２の嵌合穴に嵌合する。これにより、第１レバー部７１と第２レバー部７２とが相対回転不能に連結される。なお、係止溝７１０ａが本発明における「係止穴」に相当する。
【００３０】
第１レバー部７１と第２ハウジング２２との間には、リング状のシール部材８０が配置されている。これにより、ハウジング２と回転レバー７との間における防水性が図られている。
【００３１】
図４及び図５に示すように、回転ギヤ５のスロープ部５２は、回転ギヤ５の基部５１に回転ギヤ５の回転軸と平行な軸方向に突出するように設けられており、回転ギヤ５の周方向に沿って軸方向に傾斜して螺旋状に形成されたスロープ面５２ａを有している。スロープ部５２は、その周方向における一端部から他端部にかけて、徐々に基部５１からの高さ（突出長）が高くなるように形成されている。本実施の形態では、スロープ部５２の基部５１と反対側の端面が、スロープ面５２ａとなっている。
【００３２】
さらに、本実施の形態では、スロープ部５２は、回転ギヤ５の径方向に突出し、かつスロープ面５２ａに沿って形成された螺旋状のガイド突起５３を有している。本実施の形態では、スロープ部５２の基部５１と反対側の端部から径方向外方に突出するようにガイド突起５３を形成している。スロープ部５２の周方向に垂直な断面は、略Ｌ字状となっている。詳細は後述するが、このガイド突起５３は、ロッド３を突出位置から引込位置まで移動させる役割を果たすものである。なお、図示の例に限定されず、ガイド突起５３は径方向内方に突出して設けられていてもよい。
【００３３】
さらにまた、本実施の形態に係る充電コネクタ用ロック装置１では、スロープ部５２は、ロッド３を突出位置に保持する保持部５４を有している。本実施の形態では、保持部５４は、スロープ部５２の周方向における他端部（基部５１からの高さ（突出長）が大きい方の端部）に設けられ、軸方向に対して垂直な平坦面からなる。これにより、ロッド３が充電コネクタ１０１の係合爪１０２により押し込まれた場合であっても、当該押し込む力によって回転ギヤ５が回転してしまうことが抑制され、意図せずにロッド３が押し込まれて充電コネクタ１０１のロックが解除されてしまうことを抑制可能になる。
【００３４】
スロープ面５２ａと保持部５４としての平坦面とは連続して形成されており、曲面により滑らかに接続されている。なお、保持部５４は軸方向に対して垂直な平坦面に限定されず、例えば、スロープ面５２ａと逆方向に傾斜した傾斜面であってもよい。また、ロッド３が押し込まれた際にロッド３がスロープ面５２ａ側へと移動してしまうことをより抑制すべく、スロープ面５２ａと保持部５４としての平坦面との間に、突起や段差を設けてもよい。
【００３５】
本実施の形態では、保持部５４のスロープ面５２ａと反対側の端部に、スロープ部５２を補強するための壁部５５を設けている。本実施の形態では、壁部５５は、ガイド突起５３と連続して形成された径方向外方に突出する突起からなり、スロープ部５２の周方向における端面（保持部５４側の端面）に沿って基部５１側に軸方向に沿って延出されている。壁部５２は、スロープ部５２の周方向における端部（保持部５４）からロッド３が落下してしまうことを抑制するストッパとしての役割も果たす。
【００３６】
本実施の形態では、スロープ部５２の周方向における一端部（基部５１からの高さ（突出長）が低い方の端部）にも平坦面５６を形成しており、ロッド３が引込位置にあるときに平坦面５６に位置するように構成している。スロープ面５２ａと平坦面５６とは連続して形成されており、曲面により滑らかに接続されている。平坦面５６のスロープ部５２と反対側の端部は開放されており、この開放された端部からロッド３が組み付けられるようになっている。
【００３７】
ロッド３は、回転ギヤ５の回転に伴って回転しないハウジング２（第１ハウジング２１）に軸方向に移動可能に支持されている。ロッド３は、略棒状に形成されており、その長手方向が回転ギヤ５の軸方向と一致するように配置されている。ロッド３は、例えばガラス繊維入りＰＡ６（ナイロン６）からなる。
【００３８】
ロッド３は、回転ギヤ５を回転させた際に、一方の端部（以下、基端部という）がスロープ面５２ａにガイドされることにより、軸方向に沿って突出位置と引込位置との間を進退移動し、突出位置に進出した際に他方の端部（以下、先端部という）で充電コネクタ１０１をロックする。
【００３９】
（充電コネクタ用ロック装置１の動作の説明）
図４（ａ），（ｂ）に示すように、ロッド３を引込位置とした状態においては、ロッド３はスロープ部５２の平坦面５６に位置している。この状態では、充電コネクタ１０１はロックされない。
【００４０】
充電コネクタ１０１のロックを行う際には、コネクタ部２１０及び導体４２を介してモータ４に所定時間駆動電流を供給し、モータ４を正回転させる。すると、ウォーム４１を介して回転ギヤ５が第１の回転方向（図４（ａ）の上側から見て反時計回り方向）に回転され、回転ギヤ５の回転に伴ってロッド３のロッド本体３３の基端部がスロープ面５２ａにより徐々に押し上げられる（ハウジング２から徐々に押し出される）。ロッド３が保持部５４まで移動すると、図５（ａ），（ｂ）に示す状態となり、ロッド３が突出位置に進出した状態となる。その結果、ロッド３の先端部により係合爪１０２の回動が規制され、充電コネクタ１０１が充電ポート１１に接続された状態でロックされる（図１参照）。ロッド３が突出位置に進出した状態では、ロッド３が保持部５４としての平坦面に配置された状態となるため、たとえロッド３が押し込まれたとしても回転ギヤ５が回転してしまうことがなく、意図せず充電コネクタ１０１のロックが解除されることが抑制されている。
【００４１】
充電コネクタ１０１のロックを解除する際には、コネクタ部２１０及び導体４２を介してモータ４に所定時間駆動電流を供給し、モータ４を逆回転させる。すると、ウォーム４１を介して回転ギヤ５が第１の回転方向と反対方向である第２の回転方向（図５（ａ）の上側から見て時計回り方向）に回転され、回転ギヤ５の回転に伴ってロッド３の基端部がガイド突起５３の下面に干渉してロッド３が徐々に引き込まれる。ロッド３が平坦面５６まで移動すると、図４（ａ），（ｂ）に示す状態となり、ロッド３が引込位置に戻る。その結果、充電コネクタ１０１のロックが解除される。
【００４２】
次に、プルケーブル６の取付構造及び緊急時におけるロック解除の動作について図６乃至図９を参照して説明する。プルケーブル６は、例えば充電コネクタ用ロック装置１のロック状態において、モータ４が故障して電気的なロック解除操作が困難な場合に、手動操作によってロック状態を緊急解除するための部材である。
【００４３】
図６は、充電コネクタ用ロック装置１の平面図であり、（ａ）は上面図、（ｂ）は正面図である。図７は、図６（ｂ）におけるＡ−Ａ線断面図である。図８は、ロッド３が突出位置にあるロック状態における回転レバー７の第１レバー部７１の係止溝７１０ａを拡大した部分斜視図である。図９は、ロック状態を示し、プルケーブル６の動作を説明するために示した充電コネクタ用ロック装置１の要部斜視図である。なお、図８では、第２レバー部７２及びプルケーブル６の図示を省略し、プルケーブル６の被係止部６１のみを二点鎖線で示している。図９では、回転レバー７の第２レバー部７２の図示を省略している。
【００４４】
図６及び図７に示すように、プルケーブル６の操作部６２は、回転軸Ｏ方向に沿って見た場合にリング状である。プルケーブル６を使用する際は、乗員が操作部６２に指をかけて牽引する。
【００４５】
図７に示すように、回転レバー７における第１レバー部７１の円柱部７１１の外周部には、プルケーブル６の巻付部６３が回転軸Ｏを中心として所定の角度範囲で巻き回されている。第２レバー部７２についても同様である。本実施の形態では、巻付部６３が例えば１８０°〜３６０°の角度範囲で巻き付けられている。
【００４６】
なお、プルケーブル６の巻付部６３は、組付前においても巻き回された形状である必要はない。つまり、予め直線状に形成された状態であったものを組付時に屈曲させて第１レバー部７１の外周部に巻き回して巻付部６３としてもよく、予め巻き回された状態で第１レバー部７１に取り付けてもよい。
【００４７】
回転レバー７における第１レバー部７１の係止溝７１０ａは周方向に沿って延在して形成され、回転軸Ｏ方向に沿って見た形状がＣ字状をなしている。本実施の形態では、係止溝７１０ａが回転軸Ｏを中心として周方向に３００°の角度範囲で延在している。
【００４８】
図７に示すように、本実施の形態では、充電コネクタ用ロック装置１のロック状態においては、プルケーブル６の被係止部６１が係止溝７１０ａの周方向における一端側（図７においてハウジング２の保持部２２０に近い側）に配置されている。充電コネクタ用ロック装置１のロック状態が解除される際には、第１レバー部７１がプルケーブル６の被係止部６１に対して反時計回り方向に相対回転し、被係止部６１が係止溝７１０ａに摺動することになる。このように、回転レバー７における第１レバー部７１の係止溝７１０ａが周方向に延在して形成されているので、充電コネクタ用ロック装置１のロック及びアンロック作動時にプルケーブル６の被係止部６１が第１レバー部７１の回転を妨げることがないように構成されている。
【００４９】
図３及び図９に示すようにプルケーブル６の被係止部６１は略円柱状であり、巻付部６３の回転軸Ｏ方向の長さよりも長く形成されている。被係止部６１の下端側（回転軸Ｏ方向の第１レバー部７１側）は、第１レバー部７１の係止溝７１０ａに係止され、上端側（回転軸Ｏ方向の第２レバー部７２側）は、図示しない第２レバー部７２の係止溝に係止されている。
【００５０】
図８に示すように、充電コネクタ用ロック装置１のロック状態においては、プルケーブル６の被係止部６１の外周面は、係止溝７１０ａの周方向における一端側における端面７１０ｂと接触している。これにより、プルケーブル６が牽引されると、被係止部６１の外周面が係止溝７１０ａの端面７１０ｂを押圧するので、第１レバー部７１が図８の上側からみて反時計回り方向に回転する。なお、プルケーブル６の被係止部６１は、ロック状態において、係止溝７１０ａの端面７１０ｂと必ずしも接触する必要はなく、非接触であってもよい。
【００５１】
図９に示すように、プルケーブル６はハウジング２の外側に配置されている。すなわち、プルケーブル６の被係止部６１と回転レバー７における第１レバー部７１の係止溝７１０ａがハウジング２の外側に露出するように配置されている。例えば、プルケーブル６と回転レバー７をハウジング２内に配置することも考えられるが、その場合にはハウジング２にプルケーブル６の延在部６４あるいは操作部６２を外部に引き出すための孔を設ける必要がある。そうすると、プルケーブル６の組み付け時には先ず被止部６１又は操作部６２をハウジング２に形成した前記孔に通す必要があり、延在部６４を通すのに必要な孔よりも大きな孔を形成する必要があり防水上好ましくない。また、ハウジング２に孔をあけた場合の、プルケーブル６の延在部６４の周囲とハウジング２の前記孔との間の防水構造よりも、本実施の形態のように第１レバー部７１と第２ハウジング２２との間でシール部材８０を圧縮した場合の方が防水構造を簡素にすることができ、組付けも容易である。
【００５２】
プルケーブル６の操作部６２を牽引すると、プルケーブル６の延在部６４がハウジング２の第２ハウジング２２の保持部２２０にガイドされながら、図９に示す矢印Ｘ方向に移動する。そうすると、プルケーブル６の巻付部６３が回転軸Ｏ方向の矢印Ｙ方向（図９の上側から見て反時計回り方向）に回転すると共に被係止部６１が係止溝７１０ａの端面７１０ｂ（図８参照）を押圧するので、回転レバー７における第１レバー部７１が同方向に回転する。これにより、回転ギヤ５が第２の方向（図５（ａ）の上側から見て時計回り方向）に回転するのでロッド３が突出位置から引込位置に移動して、充電コネクタ用ロック装置１のロック状態が解除される。
【００５３】
（実施の形態の作用及び効果）
以上説明したように、本実施の形態に係る充電コネクタ用ロック装置１では、モータ４と、モータ４によって回転され、回転軸Ｏと平行な軸方向に突出するように設けられ周方向に沿って軸方向に対して傾斜したスロープ面５２ａを有する回転ギヤ５と、回転ギヤ５の回転によって回転しないハウジング２に軸方向に移動可能に支持されており、回転ギヤ５を回転させた際にスロープ面５２ａにガイドされることにより、軸方向に沿って突出位置と引込位置との間を進退移動するロッド３と、ロッド３が突出位置に配置されたロック状態を手動操作によって解除するためのプルケーブル６と、を備え、プルケーブル６は、一端側に形成されて回転ギヤ５と一体回転する回転レバー７に係止される被係止部６１と、他端側に形成されて手動操作される操作部６２と、被係止部６１から操作部６２に向かって延在し、回転レバー７の外周部に巻き付けられる巻付部６３と、を有している。
【００５４】
このように構成することで、ロッド３を押し込むことで充電コネクタ１０１のロックが解除されることが抑制されるため、充電コネクタ１０１を抜き去ることが困難となり、十分な防盗性を確保することが可能になる。また、プルケーブル６を牽引すれば巻付部６３の巻き付けが解除されて回転レバー７及び回転ギヤ５を回転させてロックを解除することができるので、例えば特許文献１に記載の装置のようにロッドにアンロックカム面をアンロック操作棒で係合させてロッドを作動させる場合には、ロッドの周囲にアンロックカム面を形成する必要がない。つまり、本実施の形態によれば、装置の大型化を抑制しつつ、防盗性を確保することが可能な充電コネクタ用ロック装置１を実現できる。
【００５５】
またさらに特許文献１に記載の充電コネクタ用ロック装置のように、アンロックカム面をアンロック操作棒で係合させてロッドを作動させる場合には、ロッドの軸方向のストローク量がアンロックカム面の傾斜角度に依存するが、本実施の形態では、プルケーブル６の被係止部６１が第１レバー部７１に係止されており、プルケーブル６を牽引すれば回転レバー７と回転ギヤ５が一体回転し、回転ギヤ５のスロープ面５２ａにロッド３がガイドされる構造なので、確実にロッド３を作動させることが可能である。
【００５６】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５７】
本発明は、その趣旨を逸脱しない範囲で適宜変形して実施することが可能である。
【符号の説明】
【００５８】
１…充電コネクタ用ロック装置
２…ハウジング
３…ロッド
４…モータ
４ａ…回転軸
５…回転ギヤ（回転体、回転部材）
６…プルケーブル
７…回転レバー（回転部材）
１１…充電ポート
５２…スロープ部
５２ａ…スロープ面
６１…被係止部
６２…操作部
６３…巻付部
７１…第１レバー部
７２…第２レバー部
１００…外部充電器
１０１…充電コネクタ
７１０ａ…係止溝（係止穴）
【図１】
2018125188.tif 000003
【図２】
2018125188.tif 000004
【図３】
2018125188.tif 000005
【図４】
2018125188.tif 000006
【図５】
2018125188.tif 000007
【図６】
2018125188.tif 000008
【図７】
2018125188.tif 000009
【図８】
2018125188.tif 000010
【図９】
2018125188.tif 000011